(57)【要約】      （修正有）【課題】手で把持容易な照明付きの水平器を提供する。【解決手段】水平面の確認作業に使用される水平器１０であって、水平器１０が平行かを表示する第１の水管１１０と、第１の水管１１０を照らす第１の照明部と、第１の照明部から照射される照明光を透過する第１の透過部材１２０と、第１の照明部に電力を供給する電池と、を有し、第１の水管１１０は、水平器の中央に形成される凹部に設けられ、第１の照明部は、凹部の下方に内蔵され、第１の透過部材１２０は、第１の照明と第１の水管１１０との間に設けられ、電池は、水平器１０の一端側に内蔵される。【選択図】図１
0003214943.tif 000002
【実用新案登録請求の範囲】
【請求項１】
水平面の確認作業に使用される水平器であって、
水平器が平行かを表示する第１の水管と、
前記第１の水管を照らす第１の照明部と、
前記第１の照明部から照射される照明光を透過する第１の透過部材と、
前記第１の照明部に電力を供給する電池と、
を有し、
前記第１の水管は、水平器の中央に形成される凹部に設けられ、
前記第１の照明部は、前記凹部の下方に内蔵され、
前記第１の透過部材は、前記第１の照明部と前記第１の水管との間に設けられ、
前記電池は、前記水平器の一端側に内蔵される、
水平器。
【請求項２】
請求項１に記載の水平器において、
回転自在に設けられる第２の水管と、
前記水平器の他端側の底面に対し、直交して設けられる第２の照明部と、
前記第２の照明部から照射される照明光を透過する第２の透過部材と、
をさらに有し、
前記第２の透過部材は、前記水平器の他端側の底面に対し直交して、前記第２の照明部と前記第２の水管との間に設けられる、
水平器。
【請求項３】
請求項２に記載の水平器において、
前記水平器の一端側の側面に前記電池が取り出される電池取出口をさらに有する、水平器。
【請求項４】
請求項１に記載の水平器において、
前記水平器の一端側の側面および他端側の側面の外周が、８ｃｍ〜１６ｃｍである、水平器。
【請求項５】
請求項１に記載の水平器において、
前記水平器の側面の一端側には、第１のスイッチが設けられ、
前記第１のスイッチが押下されると前記第１の照明部が点灯する、
水平器。
【請求項６】
請求項２に記載の水平器において、
前記水平器の側面の他端側には、第２のスイッチが設けられ、
前記第２のスイッチが押下されると前記第２の照明部が点灯する、
水平器。
【考案の詳細な説明】
【技術分野】
【０００１】
本考案は、水平器に関する。
【背景技術】
【０００２】
機械設置や、土木作業や日曜大工などにおいて水平面の確認作業に使用される水平器が知られている。このような水平器は、必ずしも明るい場所で使用されるだけでない。そのため、例えば、水平器を用いて、暗い場所にて水平面の確認作業を行う場合、懐中電灯などで、水管を照射しなければならず、作業性が悪いという問題があった。
【０００３】
ここで、暗い場所でも水平面を正確に確認可能にする照明付きの水平器が知られている。例えば、特開２００２−４８５３８号公報（特許文献１）には、「水管式水平器の水管近傍に光源を配設し、水平器の任意個所にスイッチを設け、水平器本体に内蔵した電池と各々部品を直列回路に結線するよう構成した、照明付き水管式水平器。」が記載されている。
【先行技術文献】
【特許文献】
【０００４】
【特許文献１】特開２００２−４８５３８号公報
【考案の概要】
【考案が解決しようとする課題】
【０００５】
特許文献１に記載されている技術では、水管を照らす光源の下方に電池が設けられている。そのため、水平器の厚みが増加してしまい、手で水平器を把持することが困難になる問題があった。特に、片手で水平器を把持した状態で、作業者の頭よりも高い位置の水平面の確認作業をする場合に、水平器を落としてしまう虞があった。
【０００６】
本考案の目的は、手で把持容易な照明付きの水平器を提供することである。
【課題を解決するための手段】
【０００７】
本願において開示される考案のうち、代表的なものの概要を簡単に説明すれば、次の通りである。
【０００８】
本考案の一実施の形態は、水平面の確認作業に使用される水平器であって、水平器が平行かを表示する第１の水管と、前記第１の水管を照らす第１の照明部と、前記第１の照明部から照射される照明光を透過する第１の透過部材と、前記第１の照明部に電力を供給する電池とを有する。また、前記第１の水管は、水平器の中央に形成される凹部に設けられる。また、前記第１の照明部は、前記凹部の下方に内蔵される。また、前記第１の透過部材は、前記第１の照明と前記第１の水管との間に設けられる。また、前記電池は、前記水平器の一端側に内蔵される。
【考案の効果】
【０００９】
本願において開示される考案のうち、代表的なものによって得られる効果を簡単に説明すれば以下のとおりである。
【００１０】
本考案の一実施の形態によれば、手で把持容易な照明付きの水平器を提供できる。
【図面の簡単な説明】
【００１１】
【図１】本発明の一実施の形態における水平器の斜視図である。
【図２】本発明の一実施の形態における水平器の正面図である。
【図３】本発明の一実施の形態における水平器の平面図である。
【図４】本発明の一実施の形態における水平器の内部の状態を示す斜視図である。
【考案を実施するための形態】
【００１２】
以下、本考案の実施の形態を図面に基づいて詳細に説明する。なお、実施の形態を説明するための全図において、同一部には原則として同一の符号を付し、その繰り返しの説明は省略する。
【００１３】
図１は、本発明の一実施の形態における水平器１０の構成例の概要を示す斜視図である。図２は、本発明の一実施の形態における水平器１０の正面図である。図３は、本発明の一実施の形態における水平器１０の平面図である。図４は、本発明の一実施の形態における水平器１０の内部の状態を示す斜視図である。なお、図１〜図４は、説明の便宜のため、模式的に図示されている。
【００１４】
図１〜図４に示されるように、水平器１０は、長手方向に沿って長尺な長方形の板状に構成されている。水平器１０の長手方向の長さは、１５ｃｍ〜２５ｃｍである。また、水平器１０の短手方向の長さは、１ｃｍ〜３ｃｍである。また、水平器１０の高さは、３ｃｍ〜５ｃｍである。このように、水平器１０の側面１１，１２の外周は、８ｃｍ〜１６ｃｍであり、片手で把持可能に構成されている。
【００１５】
また、水平器１０は、水平器１０が水平か否かを表示する第１の水管１１０と、第１の水管１１０を照らす照明光を透過する第１の透過部材１２０と、水平器１０が水平か否かを表示する第２の水管２１０と、第２の水管２１０を照らす照明光を透過する第２の透過部材２２０と、第１のスイッチ３２０と、第２のスイッチ３３０と、電池が取り出される電池取出口３４１とを有する。
【００１６】
また、図４に示されるように、水平器１０には、第１の水管１１０を照らす第１の照明部１３０と、電池収容部３４０と、第２の水管２１０を照らす第２の照明部２３０と、電池収容部３４０とが内蔵されている。
【００１７】
第１の照明部１３０、第２の照明部２３０は、例えば、豆電球や、ＬＥＤライトなどが該当する。第１の照明部１３０は、水平器１０の底面の中央であって、凹部１４０の下方に設けられる。また、第１の照明部１３０は、第１の水管１１０の下方に設けられており、下方から第１の水管１１０を照明可能に構成される。
【００１８】
水平器１０の本体の一端側の底面には、電池収容部３４０が設けられている。また、電池収容部３４０には電池３１０が脱着可能に収容される。
【００１９】
電池３１０は、水平器１０の一端側に内蔵される。また、電池３１０は、第１の照明部１３０、第２の照明部２３０に導線（不図示）を介して電力を供給する。また、電池３１０は、電池収容部３４０に収容される。
【００２０】
第１の水管１１０は、水平器１０の長手方向にそって長尺に形成された透明な液管に気泡を封じ込めて構成されており、気泡１１１の位置により、水平器１０が水平か否かの表示を行う。また、第１の水管１１０は、水平器１０の中央に形成される凹部１４０に設けられる。
【００２１】
第１の透過部材１２０は、第１の照明部１３０と第１の水管１１０との間に設けられる。
【００２２】
第２の照明部２３０は、水平器１０の本体の他端側の底面に、底面に対し直交して設けられる。また、第２の照明部２３０は、底面に対して直交して設けられ、側方から第２の水管２１０を照らす。
【００２３】
第２の水管２１０は、第２の透過部材２２０の他端側に、長手方向の中央部を軸に回転自在に設けられる。
【００２４】
第２の透過部材２２０は、他端側の底面に対し直交して、第２の照明部２３０と第２の水管２１０との間に設けられる。
【００２５】
第１のスイッチ３２０は、水平器１０の側面の一端側に設けられる。第１のスイッチ３２０が押下されると、導線と電池３１０とが導通され、これによって、第１の照明１３０が点灯する。第１の照明１３０から照射される照明光は、第１の透過部材１２０を透過し、第１の水管１１０を照らす。
【００２６】
第２のスイッチ３３０は、水平器１０の側面の他端側に設けられる。第２のスイッチ３３０が押下されると、導線と電池３１０とが導通され、これによって、第２の照明１２０が点灯する。第２の照明２３０から照射される照明光は、第２の透過部材２２０を透過し、第２の水管２１０を照らす。
【００２７】
電池取出口３４１は、一端側の側面に設けられる。
＜本実施の形態の効果＞
【００２８】
以上説明した本考案の一実施の形態によれば、第１の水管１１０が、水平器１０の中央に形成される凹部１４０に設けられ、第１の照明部１３０が、凹部１４０の下方に内蔵され、第１の透過部材１２０が、第１の照明部１３０と前記第１の水管１１０との間に設けられ、電池３１０が、水平器１０の一端側に内蔵されることで、水平器１０の内部の底面に、第１照明部１３０と、電池３１０とを別々に配置できる。これによって、第１の照明部１３０と、電池３１０とを水平器１０に内蔵させた場合であっても、側面１１，１２の高さを低くでき、手で把持容易な照明付きの水平器１０を提供できる。
【００２９】
また、水平器１０が、第２の水管２１０と、他端側の底面に対し直交して設けられる第２の照明部２３０と、第２の照明部２３０から照射される照明光を透過する第２の透過部材２２０とをさらに有し、第２の透過部材２２０が、他端側の底面に対し直交して、第２の照明部２３０と第２の水管２１０との間に設けられることで、水平管１０の内部の底面に、第１照明部１３０と、第２照明部２３０と、第２の透過部材２２０と、電池３１０とを別々に配置できる。これによって、これによって、第１の照明部１３０と、第２照明部２３０と、電池３１０とを水平器１０に内蔵させた場合であっても、側面１１，１２の高さを低く（厚みを薄く）でき、手で把持容易な照明付きの水平器１０を提供できる。また、一端側に電池３１０を、他端側に第２の照明部２３０と第２の水管２１０を設けることで、水平器１０全体の重さのバランスが一方にのみ偏ることを抑制できる。
【００３０】
また、水平器１０が、一端側の側面に電池３１０が取り出される電池取出口３４１をさらに有することで、作業中に電池取出口３４１が開いて、電池３１０が落ちてしまうことを抑制できる。
【００３１】
また、水平器１０の一端側の側面および他端側の側面の外周を８ｃｍ〜１６ｃｍとすることで、片手で水平器１０を把持しながらの作業が可能になる。
【００３２】
また、水平器１０の側面の一端側に第１のスイッチ３２０が設けられることで、暗い中で作業する場合であっても手探りで第１のスイッチ３２０の位置を確認し、第１のスイッチ３２０を押下することを容易にできる。
【００３３】
また、水平器１０の側面の他端側に第２のスイッチ３３０が設けられることで、暗い中で作業する場合であっても手探りで第２のスイッチ３３０の位置を確認し、第２のスイッチ３３０を押下することが容易にできる。
【００３４】
以上、本考案のいくつかの実施形態を説明したが、これらの実施形態は、例として提示したものであり、考案の範囲を限定することは意図していない。これら実施形態は、その他の様々な形態で実施されることが可能であり、考案の要旨を逸脱しない範囲で、種々の省略、置き換え、変更を行うことができる。これら実施形態やその変形は、考案の範囲や要旨に含まれると同様に、実用新案請求の範囲に記載された考案とその均等の範囲に含まれるものである。
【符号の説明】
【００３５】
１０…水平器、
１１０…第１の水管、１２０…第１の透過部材、１３０…第１の照明部、１４０…凹部、
２１０…第２の水管、２２０…第２の透過部材、２３０…第２の照明部、
３１０…電池、３２０…第１のスイッチ、３３０…第２のスイッチ、３４０…電池収容部。
【図１】
0003214943.tif 000003
【図２】
0003214943.tif 000004
【図３】
0003214943.tif 000005
【図４】
0003214943.tif 000006